(57)【要約】    【課題】  アクセサリが有するヘルプ情報の多寡に関わらず、特別な操作を要せずかつ良好なヘルプ情報の表示を行うことが可能な撮像装置を提供する。    【解決手段】  アクセサリ内に記憶されているヘルプ情報のうち、アクセサリ側で表示できないヘルプ情報を撮像装置側に通信手段を介して転送する。カメラ側の表示部は、転送されたヘルプ情報を表示する。【選択図】      図６
2006191459.tif 000002
【特許請求の範囲】
【請求項１】
撮像装置本体に着脱可能に装着されるアクセサリを検出する検出手段と、
前記アクセサリとの間で通信可能な通信手段と、
データを格納する記憶手段と、
少なくとも前記アクセサリに関するヘルプ情報を表示することが可能な表示手段とを有する撮像装置において、
前記アクセサリは前記ヘルプ情報のうち少なくとも一部のヘルプ情報を有しており、前記検出手段により、前記アクセサリが前記撮像装置に装着されたことが検出された場合には、前記アクセサリにおいて表示されない前記少なくとも一部のヘルプ情報を、前記通信手段を介して前記記憶手段へ格納する制御手段を備えたことを特徴とする撮像装置。
【請求項２】
前記検出手段は、前記撮像装置に装着可能なアクセサリの数に応じて複数有することを特徴とする請求項１に記載の撮像装置。
【請求項３】
前記通信手段とは独立したヘルプ情報を転送するための第２の情報伝達手段を備えたことを特徴とする請求項１に記載の撮像装置。
【請求項４】
前記記憶手段は揮発性のメモリであることを特徴とする請求項１に記載の撮像装置。
【請求項５】
撮像装置本体に着脱可能に装着されるアクセサリを検出する検出工程と、
前記検出工程により前記アクセサリが検出されたことを検出したときに、前記アクセサリが有するものであって、前記アクセサリにおいて表示されないヘルプ情報を通信する通信工程と、
前記通信工程によって通信された前記ヘルプ情報を記憶手段に格納する記憶工程と、
前記ヘルプ情報を表示手段に表示する表示工程を備えたことを特徴とする撮像装置の制御方法。
【請求項６】
請求項５に記載の撮像装置の制御方法を実現するためのコンピュータ読み取り可能なプログラムコードを有することを特徴とする制御プログラム。
【発明の詳細な説明】
【技術分野】
【０００１】
本発明は、デジタルカメラ等の撮像装置、撮像装置の制御方法、及び制御プログラムに関する。より詳しくは、撮像装置のアクセサリについてのヘルプ情報の表示に関する。
【背景技術】
【０００２】
近年、一般的にデジタルカメラ等の撮像装置は、高細度の表示パネルを備えており、今まで冊子として撮像装置とは別媒体になっていた操作マニュアルや、制限事項、トラブルシューティング等の付帯情報は、オンラインマニュアルとして操作方法や対処方法等のヘルプ情報を前記表示パネルにヘルプ表示することが可能となっている。
【０００３】
これらオンラインマニュアルを有する撮像装置としては、その操作部材に応じた撮像装置（カメラ）の動作処理中にヘルプモードへ切り替えた際、適切な情報を表示パネルにヘルプ表示するようにしたものが公知である（例えば、特許文献１参照）。
【特許文献１】特開２００１−６６６８４号公報
【発明の開示】
【発明が解決しようとする課題】
【０００４】
しかしながら、上述した従来の技術では、ヘルプ表示に必要な情報は、通常マイコン（マイクロコンピュータ）のプログラム領域に格納されているため、撮像装置本体の開発終了後に対応された新しいアクセサリに関しては、プログラムの書き換え等のユーザやサービスによる複雑な作業、或いは別媒体（ＣＤ−ＲＯＭなど）での提供という形態で行われていた。
【０００５】
また、レンズ交換式の撮像装置（所謂デジタル一眼レフカメラ）等においては、対応しているアクセサリ（レンズユニットやストロボユニット等）も多く、これら全てのアクセサリに関するヘルプ情報を撮像装置の記憶領域に格納しようとすると、多大なメモリを設けなくてはならず、コストも増大するといった問題があった。
【０００６】
同時に、アクセサリの機能が増大するにつれ、アクセサリ自身が表示部を有していたとしても、適切な内容を表示しきれないという問題が生じていた。
【０００７】
本発明は、これら従来技術の有する問題点を解決するためになされたもので、その目的は、ヘルプ機能を拡張する際に、特別な操作を不要にしつつ、良好なヘルプ情報の表示を行うことが可能な撮像方法、撮像装置及び制御プログラムを提供することである。
【課題を解決するための手段】
【０００８】
上記目的を達成するため、本発明の撮像装置は、撮像装置本体に着脱可能に装着されるアクセサリを検出する検出手段と、前記アクセサリとの間で通信可能な通信手段と、データを格納する記憶手段と、少なくとも前記アクセサリに関するヘルプ情報を表示することが可能な表示手段とを有する撮像装置において、前記アクセサリは前記ヘルプ情報のうち少なくとも一部のヘルプ情報を有しており、前記検出手段により、前記アクセサリが前記撮像装置に装着されたことが検出された場合には、前記アクセサリにおいて表示されない前記少なくとも一部のヘルプ情報を、前記通信手段を介して前記記憶手段へ格納する制御手段を備えたことを特徴とする。
【０００９】
また、上記目的を達成するため、本発明の撮像装置の制御方法は、撮像装置本体に着脱可能に装着されるアクセサリを検出する検出工程と、前記検出工程により前記アクセサリが検出されたことを検出したときに、前記アクセサリが有するものであって、前記アクセサリにおいて表示されないヘルプ情報を通信する通信工程と、前記通信工程によって通信された前記ヘルプ情報を記憶手段に格納する記憶工程と、前記ヘルプ情報を表示手段に表示する表示工程を備えたことを特徴とする。
【発明の効果】
【００１０】
本発明によれば、撮像装置の発売後に開発されるようなアクセサリについても撮像装置側で対応可能となるだけではなく、アクセサリ側では表示しきれない情報量を持つヘルプ情報であっても、撮像装置側のより大きな表示部により表示することができるようになる。また、アクセサリの検知によって自動的に必要な情報を撮像装置側に送るので、ユーザに特別な操作を強いることがない。さらに、撮像装置側では必要なときのみヘルプ情報をアクセサリ側から取得することができるので、常時記録媒体にヘルプ情報を格納する必要がなく、対応アクセサリのために用意すべき記録媒体の容量を削減することが可能となる。
【発明を実施するための最良の形態】
【００１１】
以下、本発明の実施の形態について、図面に基づき説明する。
【００１２】
図１は、本実施の形態に係る撮像装置の構成を示すブロック図であり、同図において、１００は撮像装置、２００はアクセサリであるレンズユニット、３００はアクセサリであるストロボユニット、４００はアクセサリであるリモコン（リモートコントローラ）である。
【００１３】
撮像装置１００は、カメラ制御部１０１、シャッタ制御部１０２、測光部１０３、測距部１０４、アクセサリ着脱検出部１０５、シャッタ１０６、システム制御部１０７、撮像素子１０８、Ａ／Ｄ変換部１０９、画像処理部１１０、メモリ制御部１１１、表示部１１２、メモリ１１３、ヘルプ表示情報用メモリ１１４、表示用メモリ１１５、外部着脱メモリ１１６、不揮発性メモリ１１７、電源部１１８、再生スイッチ１１９、ヘルプ表示スイッチ１２０、モードダイアルスイッチ１２１、レリーズスイッチ１２２、操作部１２３、電源スイッチ１２４、レンズマウント１２５、レンズユニット接続用コネクタ１２６、レンズユニット用インタフェース１２７、ストロボユニット接続用コネクタ１２８、ストロボユニット用インタフェース１２９、リモコン接続用コネクタ１３０、リモコン用インタフェース１３１を有している。
【００１４】
カメラ制御部１０１は、シャッタ制御部１０２、測光部１０３、測距部１０４、アクセサリ着脱検出部１０５、各種アクセサリ対応したインタフェース１２７，１２９，１３１との送受通信により、カメラ（撮像装置）１００としての一連の動作を制御するものである。
【００１５】
シャッタ制御部１０２は、測光部１０３からの測光情報に基づいて、絞り２０７を制御するレンズ制御部２０１と連携しながら、シャッタ１０６を制御するものである。
【００１６】
測光部１０３、測距部１０４は、公知のＡＥ（自動露出）処理、ＡＦ（オートフォーカス）処理を行うためのものである。
【００１７】
アクセサリ着脱検出部１０５は、撮像装置１００本体に対するアクセサリ（レンズユニット２００、ストロボユニット３００およびリモコン４００）の着脱状態を検出する。
【００１８】
メモリ制御部１１１は、Ａ／Ｄ変換部１０９、画像処理部１１０、表示部１１２、メモリ１１３、ヘルプ表示情報用メモリ１１４、表示用メモリ１１５及び外部着脱メモリ１１６を制御するものである。
【００１９】
ヘルプ表示情報用メモリ１１４は、オンラインマニュアル機能時に、撮像装置１００本体に装着されている各種アクセサリに関するヘルプ表示情報を格納するための記憶手段である。具体的な表示内容や表示手順については、後に詳述する。
【００２０】
表示用メモリ１１５は、表示用の画像データを格納するものである。
【００２１】
レンズマウント１２５は、レンズユニット２００を接続するためのものである。レンズユニット接続用コネクタ１２６は、撮像装置１００をレンズユニット２００と電気的に接続するためのものであり、アクセサリ着脱検出部１０５によりレンズマウント１２５及びレンズユニット接続用コネクタ１２６にレンズユニット２００が装着されているか否かを検知することができる。インタフェース１２７は、レンズマウント１２５内において、撮像装置１００をレンズユニット２００と接続するためのものである。
【００２２】
ストロボユニット接続用コネクタ１２８は、撮像装置１００をストロボユニット３００と電気的に接続するためのものである。また、アクセサリ着脱検出部１０５によりストロボユニット接続用コネクタ１２８にストロボユニット３００が装着されているか否かを検知することができる。インタフェース１２９は、ストロボユニット接続用コネクタ１２８において、撮像装置１００をストロボユニット３００と接続するためのものである。
【００２３】
リモコン接続用コネクタ１３０は、撮像装置１００をリモコン４００と電気的に接続するためのものであり、アクセサリ着脱検出部１０５によりリモコン接続用コネクタ１３０にリモコン４００が装着されているか否かを検知することができる。インタフェース１３１は、リモコン接続用コネクタ１３０において、撮像装置１００をリモコン４００と接続するためのものである。
【００２４】
ヘルプ表示情報管理部１３３は、表示を行おうとするヘルプ情報をその情報に応じて、ヘルプ表示情報用メモリ１１４、もしくは外部アクセサリのヘルプ表示用情報を表示用インタフェース１２７を介して取得し、管理を行うものである。
【００２５】
レンズユニット２００は、交換レンズタイプであって、レンズマウント１２５及びレンズユニット接続用コネクタ１２６に接続される。
【００２６】
レンズユニット２００は、レンズ制御部２０１、ヘルプ表示情報格納部２０２、レンズ制御用インタフェース２０３、コネクタ２０４、レンズマウント２０５、撮影レンズ２０６、絞り２０７及びヘルプ表示情報通信用インタフェース２０８を有している。
【００２７】
ヘルプ表示情報格納部２０２は、レンズユニット２００固有のオンラインマニュアル機能のためのヘルプ表示情報を格納している。また、ヘルプ表示情報格納部２０２は、不揮発性メモリを使用し、レンズ制御部２０１に格納している各種情報や設定値の保持する機能、制御用プログラムの機能を兼ね備えても良い。
【００２８】
ストロボユニット３００は、ストロボユニット接続用コネクタ１２８に接続される。
【００２９】
ストロボユニット３００は、ストロボ発光制御部３０１、ヘルプ表示情報格納部３０２、ストロボ制御用インタフェース３０３、コネクタ３０４、ヘルプ表示情報通信用インタフェース３０５及び表示部３０６を有している。ストロボユニット３００は、コネクタ３０４をストロボユニット接続用コネクタ１２８に接続することにより、撮像装置１００に装着される。
【００３０】
ストロボ発光制御部３０１は、ストロボユニット３００全体を制御するものであり、不図示のキセノン管など発光部に対し、測光部１０３からの情報を元に、発光量や、発光タイミングを制御する。ヘルプ表示情報格納部３０２は、ストロボユニット３００固有のオンラインマニュアル機能のためのヘルプ表示情報を格納している。表示部３０５は、ストロボユニットに関する各種情報を表示するものであり、ヘルプ表示情報の一部も表示可能である。
【００３１】
リモコン４００は、リモコン接続用コネクタ１３０に接続される。
【００３２】
リモコン４００は、リモコン制御部４０１、ヘルプ表示情報格納部４０２、リモコン制御用インタフェース４０３、コネクタ４０４、ヘルプ表示情報通信用インタフェース４０５及び表示部４０６を有している。
【００３３】
リモコン制御部４０１は、コネクタ４０４をリモコン接続用コネクタ１３０に接続することにより、撮像装置１００に装着される。この場合の接続とは、有線無線を問わず、リモコン側と撮像装置側の相互間で制御信号を伝達されうるものであれば良い。
【００３４】
リモコン制御部４０１は、リモコン４００全体を制御するものであり、遠隔にて撮像装置１００に対してズーム、レリーズ操作、レビュー確認等の動作を相互送受信により制御する。リモコン制御部４０１は、プログラミング撮影の設定情報や各設定値等を保持する不揮発メモリの機能も備えている。
【００３５】
ヘルプ表示情報格納部４０２は、リモコンユニット４００固有のオンラインマニュアル機能のためのヘルプ表示情報を格納している。また、ヘルプ表示情報格納部４０２は、不揮発性メモリを使用し、リモコン制御部４０１に格納しているプログラミング撮影の設定情報や各設定値を保持する機能を兼ね備えても良い。表示部４０５は、リモコンに関する各種情報を表示するものであり、ヘルプ表示情報の一部も表示可能である。
【００３６】
次に、本実施の形態に係る撮像装置１００におけるヘルプモード処理について、図２を用いて説明する。
【００３７】
図２は、本実施の形態に係る撮像装置１００におけるヘルプモード処理の動作の流れを示すフローチャートである。
【００３８】
図２において、まず、ステップＳ５０１で、システム制御部１０７は、ヘルプメニューの表示を行うために、ヘルプメニューＩＮＤＥＸ変数の内容からヘルプ表示データ管理テーブルを用いてヘルプ情報用メモリ１１４或いは不揮発性メモリ１１７における所定のメニューデータ格納アドレスを取得する（ヘルプメニュー管理処理）。ここで、指示されたヘルプモードが、アクセサリに関するものであるときには、そのモードに応じて、レンズ２００のヘルプ表示情報格納部２０２、ストロボ３００のヘルプ表示情報格納部３０２またはリモコン４００のヘルプ情報格納部４０２からヘルプ表示データを、ヘルプ情報用メモリ１１４或いは不揮発性メモリ１１７に予め転送しておく。なお、アクセサリのヘルプ表示情報の転送に関しては後に詳述する。
【００３９】
次に、ステップＳ５０２で、前記ステップＳ５０１におけるヘルプメニュー管理処理において取得されたメニューデータ内の情報から、不揮発性メモリ１１７或いはヘルプ情報用メモリ１１４上の文字データ／画像データ／音声データを、表示用メモリ１１５の所定の領域に転送する（ヘルプ情報読み出し処理）。
【００４０】
次に、ステップＳ５０３で、システム制御部１０７は、表示部１１２を用いて、選択されたヘルプメニューのページ内容を、画像や音声によりヘルプ表示を行う（ヘルプ画面表示処理）。
【００４１】
前記ステップＳ５０３において表示されたヘルプメニューの表示内容例は、後述する図４に示す。
【００４２】
また、前記ステップＳ５０３において表示されたヘルプメニューには、操作部１２３により上層メニューや下層メニューを選択できる項目もある。このような項目を、操作部１２３で選択操作或いは決定操作が実行されたか否かをステップＳ５０４で判断する。そして、操作が実行されたと判断された場合は、ヘルプメニューＩＮＤＥＸ変数の更新を行い、ステップＳ５０５へ、また、操作が実行されないと判断された場合は、Ｓ５０７へ移行する。
【００４３】
同様に、前記ステップＳ５０３において表示されたヘルプメニューには、選択可能な項目、或いは説明文章が１画面で表示することが不可能な場合には、数ページに分割して表示する場合がある。
【００４４】
ステップＳ５０７では、ページを操作部１２３のページ送り操作やページ戻り操作が実行されたか否かを判断する。そして、操作が行われたと判断された場合は、ヘルプメニューＩＮＤＥＸ変数の更新を行い、前記ステップＳ５０１へ戻る。
【００４５】
また、前記ステップＳ５０７において、所定の操作が行われないと判断された場合は、ステップＳ５０８へ進んで、ヘルプ表示スイッチ１２０が押されたか否かを判断する。そして、ヘルプ表示スイッチ１２０が押されたと判断された場合は、本サブルーチンを終了する。
【００４６】
また、ステップＳ５０８において、ヘルプ表示スイッチ１２０が押されないと判断された場合は、前記ステップＳ５０４へ戻る。
【００４７】
また、ステップＳ５０５では、システム制御部１０７は、前記ステップＳ５０４で選択／決定された項目が、キーワード検索項目か否かを判断する。そして、キーワード検索項目でないと判断された場合は、前記ステップＳ５０１へ戻る。
【００４８】
また、前記ステップＳ５０５において、システム制御部１０７は、前記ステップＳ５０４で選択／決定された項目がキーワード検索であると判断された場合は、ステップＳ５０６へ進んで、所定のキーワード検索処理を実行する。
【００４９】
このステップＳ５０６におけるキーワード検索処理は、ヘルプ表示データ管理テーブル内のキーワード検索テーブルを使用し、必要なキーワード（単語）を、表示部１１２を用いて「アルファベット順」、「あいうえお順」等に整列して表示し、操作部１２３により選択操作が実行された場合は、ヘルプメニューＩＮＤＥＸ変数を更新し、その後、前記ステップＳ５０１へ戻る。
【００５０】
図３は、ヘルプ表示データの構成を示した図であり、同図（ａ）は、撮像装置１００のメモリ１１３内のヘルプ情報、及び各アクセサリのヘルプ情報格納部２０２，３０２，４０２に格納されたヘルプ情報の構成を示す図である。ヘルプ情報は、メニュー管理領域６０１、キーワード検索管理領域６０２、メニューデータ格納領域６０３で構成される。
【００５１】
メニュー管理領域６０１には、図２のステップＳ５０１におけるヘルプメニュー管理処理において、階層メニュー管理テーブルの作成に用いられる階層メニュー管理データが、メニュー項目数だけ格納されている。また、キーワード検索管理領域６０２には、キーワード検索処理Ｓ５０６において、キーワード検索メニュー用管理テーブルの作成に用いられるキーワード検索管理データが、必要なキーワード数だけ格納されている。また、メニューデータ格納領域６０３には、前記図２のステップＳ５０３におけるヘルプ画面表示処理において、表示部１１２に表示されるメニューの管理情報や画像表示データが、メニュー数だけ格納されている。
【００５２】
図３（ｂ）は、図３（ａ）のメニューデータ格納領域６０３における、メニューデータの構成を示す図である。
【００５３】
メニューデータは、メニュー構成管理領域６０４、項目管理領域６０５、文字データ格納領域６０６、画像データ格納領域６０７、音声データ格納領域６０８で構成される。
【００５４】
システム制御部１０７は、前記図２のステップＳ５０２におけるヘルプ表示データ読み出し処理において、メニュー構成管理領域６０４と項目管理領域６０５の情報により、文字データ格納領域６０６、画像データ格納領域６０７及び音声データ管理領域６０８から、画像表示データを読み出し、表示用メモリ１１５上に画面表示を構成する。
【００５５】
図４は、サブルーチン「ヘルプモード処理」におけるヘルプメニューの表示例を示した図である。
【００５６】
サブルーチン「ヘルプモード処理」では、撮像装置１００、レンズユニット２００、ストロボユニット３００、リモコン４００に関するヘルプ表示が実行される。
【００５７】
図４（ａ）は、ヘルプメニューのトップメニューを示す図であり、同図に示すように、「ヘルプメニュー」はタイトルであり、その下に「◆取扱説明」、「◆キーワード検索」、「◆チュートリアルモード」、「◆注意事項」という選択可能な項目が表示されている。また、図４（ａ）の右下に示す「ＨＥＬＰ」は、ヘルプ表示スイッチ１２０を押すことで、本サブルーチンを終了することを示している。図４（ａ）の表示例では、「◆取扱説明」が反転表示しており、この項目が操作部１２３の選択操作により選択されていることを示し、音声再生も同時に行われる。 
【００５８】
ここで操作部１２３の決定操作が行われると、図４（ｂ）に示す「取扱説明」メニューの表示に切り替わる。また、図４（ｂ）では、リモコン４００に関する取扱説明の表示を示す「◆リモコン」の項目を選択している。また、図７（ｂ）において、「◆戻る」の項目は、上位層の「ヘルプメニュー」に表示が切り替わることを示している。
【００５９】
同じく操作部１２３の決定操作が行われると、図４（ｃ）に示す「リモコンの取扱説明」メニューの表示に切り替わる。また、図４（ｃ）の右上に示す「１／２」は、「リモコンの取扱説明」メニューが、次項存在することを示しており、操作部１２３のページ送り操作により、次項の「リモコンの取扱説明２／２」メニューの表示に切り替わる。
【００６０】
図５は、図２のステップＳ５０６におけるキーワード検索処理におけるキーワード検索の表示例を示す図である。
【００６１】
図５において、「ア」、「カ」、「サ」、「タ」、「ナ」、「マ」は、キーワードのカナ行に分類された項目を示しており、操作部１２３のページ送り操作／ページ戻り操作により、次行へ切り替わる。また、不図示であるが、アルファベットに分類された項目に切り替えることも可能である。また、図５において、「ＨＥＬＰ」の左に配置された縦長のバー表示は、ア行のキーワード数全体に対する、現在表示されているキーワード数の割合と位置との関係を示しており、操作部１２３の選択操作に連動して表示が切り替わる。
【００６２】
以上のように、本実施の形態によれば、アクセサリ２００，３００，４００が装着されたことをアクセサリ着脱検出部１０５が判断し、各アクセサリ２００，３００，４００とのインタフェース２０３，３０３，４０３を介して、ヘルプ情報を予め割り当てられた記憶手段の領域に転送することで、ヘルプ機能を拡張する際に、特別な操作が不要となる。
【００６３】
また、格納されたヘルプ情報を、不揮発性メモリ１１７等を使用した記憶手段に記録することにより、起動毎に不要なデータ転送を行わないことで、データ転送回数を削減し、次回からの起動時間を高速化することが可能となる。
【００６４】
図６は、図２におけるステップＳ５０１のヘルプメニュー管理処理において、アクセサリに関するヘルプモードが指示された場合における、アクセサリ側から撮像装置へのヘルプ表示情報の転送についてのフローを表す図である。
【００６５】
本実施の形態においてレンズユニット２００は、表示部を持たないために、撮像装置側から指示されるヘルプ表示情報の転送については、必要な情報を抽出して、そのまま撮像装置側に転送すればよい。しかし、ストロボユニット３００やリモコン４００は、それぞれが表示部３０６、４０６を具備するので、ストロボユニットやリモコンに関するヘルプ情報は、それぞれの表示部を用いて表示することが好ましい。しかし、これらアクセサリが具備する表示部は、往々にして小さいものであることから、全てのヘルプ表示情報を表示することは困難である。そこで、以下の処理を行うものである。
【００６６】
撮像装置側からヘルプ表示情報の読み出し処理の指示があった場合は、ステップＳ７０１において、アクセサリが格納するヘルプ表示情報格納部（ストロボユニットの場合は３０２、リモコンの場合には４０２）から、表示対象の情報を抽出する。そして、ステップＳ７０２において、抽出された情報量がアクセサリの表示部に表示可能かどうかを判断する。表示可能であると判断された場合には、ステップＳ７０３で、そのヘルプ表示情報を表示し、表示不可能と判断された場合には、ステップＳ７０２で、表示できない分のヘルプ表示情報を、撮像装置側の表示部１１２で表示すべく撮像装置側に転送する。そして、ステップＳ７０４では、アクセサリ側の表示部で表示が可能であっても、撮像装置側の表示部１１２で表示することが好ましい場合、例えば、撮像装置本体の他の機能との関連においてヘルプ表示を行う場合や、表示をアクセサリ側と本体側に分けることで見難くなるなどの場合においては、表示可能な分の情報も、その性質や種類に応じて撮像装置側に転送を行う。
【００６７】
なお、一連の情報抽出、判断および転送の実行処理は、アクセサリ側が具備する制御部（ストロボ発光制御部３０１、リモコン制御部４０１）が行ってもよいし、撮像装置側のシステム制御部１０７が、それぞれのインタフェースを介して行ってもよい。
【００６８】
（その他の実施の形態）
以上が本発明の実施の形態の説明であるが、本発明は、これら実施の形態に限られるものではなく、特許請求の範囲で示した機能、または実施の形態の構成が持つ機能を達成できる構成であれば、どのようなものであっても適用可能である。
【００６９】
また、上述した実施の形態においては、撮像装置１００は、レンズ交換デジタルカメラを想定した構成となっているが、レンズ一体型のコンパクトデジタルカメラのような構成としても良い。
【００７０】
また、アクセサリ側のインタフェースは、ヘルプ表示情報通信用インタフェースとアクセサリ制御用インタフェースを別構成として説明したが、これらは両者の機能を有する単独のインタフェースとして構成してもよい。
【００７１】
また、ヘルプ情報用メモリ１１４は、メモリ１１３と独立した回路構成としているが、ヘルプ情報用メモリ１１４は、メモリ１１３の一部の領域を使用する回路構成であっても良い。
【００７２】
また、本実施の形態では、カメラ制御部１０１及びシステム制御部１０７は、独立した回路構成としているが、システム制御部１０７がカメラ制御部１０１を兼ね備えた構成であっても良い。
【００７３】
また、本発明の目的は、前述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても、達成されることは言うまでもない。
【図面の簡単な説明】
【００７４】
【図１】本発明の実施の形態に係る撮像装置の構成を示すブロック図である。
【図２】本発明の実施の形態に係る撮像装置におけるヘルプモード処理の動作の流れを示すフローチャートである。
【図３】本発明の実施の形態に係る撮像装置におけるヘルプ情報及びメニューデータの構成例を示す図である。
【図４】本発明の実施の形態に係る撮像装置におけるヘルプメニュー及びそのトップメニューの表示例を示す図である。
【図５】本発明の実施の形態に係る撮像装置におけるキーワード検索処理におけるキーワード検索画面の表示例を示す図である。
【図６】本発明の実施の形態に係るアクセサリ側から撮像装置側へのヘルプ情報の転送を示すフローチャートである。
【符号の説明】
【００７５】
１０７      システム制御部
１１２      表示部
１１４      ヘルプ情報用メモリ
２００      レンズユニット
２０２      ヘルプ表示情報格納部
３００      ストロボユニット
３０２      ヘルプ表示情報格納部
４００      リモコン
４０２      ヘルプ表示情報格納部
【図１】
2006191459.tif 000003
【図２】
2006191459.tif 000004
【図３】
2006191459.tif 000005
【図４】
2006191459.tif 000006
【図５】
2006191459.tif 000007
【図６】
2006191459.tif 000008